【手続補正書】
【提出日】平成17年12月15日(2005.12.15)
【手続補正１】
【補正対象書類名】明細書
【補正対象項目名】発明の名称
【補正方法】変更
【補正の内容】
【発明の名称】インクジェット記録装置および記録ヘッドの回復処理方法
【手続補正２】
【補正対象書類名】明細書
【補正対象項目名】特許請求の範囲
【補正方法】変更
【補正の内容】
【特許請求の範囲】
【請求項１】  吐出口からインクを吐出可能な記録ヘッドを用いて画像を記録するインクジェット記録装置において、
前記記録ヘッドの吐出口形成面をワイピングするワイピング手段と、
前記ワイピング手段によるワイピングの累積回数をカウントするカウント手段と、
前記記録ヘッドの吐出口から画像の記録に寄与しないインクを吐出させる予備吐出手段と、
前記ワイピングの累積回数に基づいて、前記ワイピング手段によるワイピングの後の前記予備吐出手段によるインクの吐出数を変更する変更手段と、
を備え、
前記変更手段は、前記ワイピングの累積回数の増加に伴って、前記予備吐出手段によるインクの吐出数を増加させることを特徴とするインクジェット記録装置。
【請求項２】  吐出口からインクを吐出可能な記録ヘッドを用いて画像を記録するインクジェット記録装置において、
前記記録ヘッドの吐出口形成面をワイピングするワイピング手段と、
前記記録ヘッドから吐出された累積インク吐出数に対応する累積記録ドット数をカウントするカウント手段と、
前記記録ヘッドの吐出口から画像の記録に寄与しないインクを吐出させる予備吐出手段と、
前記累積記録ドット数に基づいて、前記ワイピング手段によるワイピングの後の前記予備吐出手段によるインクの吐出数を変更する変更手段と、
を備えることを特徴とするインクジェット記録装置。
【請求項３】  前記変更手段は、前記累積の記録ドット数の増加に伴って、前記予備吐出手段によるインクの吐出数を増加させることを特徴とする請求項２に記載のインクジェット記録装置。
【請求項４】  吐出口からインクを吐出可能な記録ヘッドを用いて画像を記録するインクジェット記録装置において、
前記記録ヘッドの吐出口形成面をワイピングするワイピング手段と、
前記記録ヘッドが前記インクジェット記録装置に搭載された累積搭載時間を計時する計時手段と、
前記記録ヘッドの吐出口から画像の記録に寄与しないインクを吐出させる予備吐出手段と、
前記累積搭載時間に基づいて、前記ワイピング手段によるワイピングの後の前記予備吐出手段によるインクの吐出数を変更する変更手段と、
を備えることを特徴とするインクジェット記録装置。
【請求項５】  前記変更手段は、前記記録ヘッドの累積搭載時間の増加に伴って、前記予備吐出手段によるインクの吐出数を増加させることを特徴とする請求項４に記載のインクジェット記録装置。
【請求項６】  吐出口からインクを吐出可能な記録ヘッドを用いて画像を記録するインクジェット記録装置において、
前記記録ヘッドの吐出口形成面をワイピングするワイピング手段と、
前記ワイピング手段によるワイピングの後から被記録媒体への記録を開始するまでの経過時間を計時する計時手段と、
前記記録ヘッドの吐出口から画像の記録に寄与しないインクを吐出させる予備吐出手段と、
前記経過時間に基づいて、前記ワイピング手段によるワイピングの後の前記予備吐出手段によるインクの吐出数を変更する変更手段と、
を備えることを特徴とするインクジェット記録装置。
【請求項７】  前記変更手段は、前記経過時間の増加に伴って、前記予備吐出手段によるインクの吐出数を減少させることを特徴とする請求項６に記載のインクジェット記録装置。
【請求項８】  吐出口からインクを吐出可能な記録ヘッドを用いて画像を記録するインクジェット記録装置において、
前記記録ヘッドの吐出口形成面をワイピングするワイピング手段と、
前記吐出口形成面の撥水性の劣化に対応する情報を記憶する記憶手段と、
前記記録ヘッドの吐出口から画像の記録に寄与しないインクを吐出させる予備吐出手段と、
前記情報に基づいて、前記ワイピング手段によるワイピングの後の前記予備吐出手段によるインクの吐出数を変更する変更手段と、
を備えることを特徴とするインクジェット記録装置。
【請求項９】  前記吐出口形成面の撥水性の劣化に対応する情報は、ワイピングの累積回数、前記記録ヘッドから吐出された累積インク吐出数に対応する累積記録ドット数、前記記録ヘッドが前記インクジェット記録装置に搭載された累積搭載時間、ワイピングの後から被記録媒体への記録を開始するまでの経過時間のいずれかであることを特徴とする請求項８に記載のインクジェット記録装置。
【請求項１０】  吐出口からインクを吐出可能な記録ヘッドのインク吐出性能を良好に維持するための回復処理を行う記録ヘッドの回復処理方法において、
前記記録ヘッドの吐出口形成面をワイピングするワイピング手段と、前記記録ヘッドの吐出口から画像の記録に寄与しないインクを吐出させる予備吐出手段と、を用い、
前記ワイピング手段によるワイピングの累積回数をカウントし、
前記ワイピングの累積回数に基づいて、前記ワイピング手段によるワイピングの後の前記予備吐出手段によるインクの吐出数を変更し、
前記ワイピングの累積回数の増加に伴って、前記予備吐出手段によるインクの吐出数を増加させることを特徴とする記録ヘッドの回復処理方法。
【請求項１１】  吐出口からインクを吐出可能な記録ヘッドのインク吐出性能を良好に維持するための回復処理を行う記録ヘッドの回復処理方法において、
前記記録ヘッドの吐出口形成面をワイピングするワイピング手段と、前記記録ヘッドの吐出口から画像の記録に寄与しないインクを吐出させる予備吐出手段と、を用い、
前記記録ヘッドから吐出された累積インク吐出数に対応する累積記録ドット数をカウントし、
前記累積記録ドット数に基づいて、前記ワイピング手段によるワイピングの後の前記予備吐出手段によるインクの吐出数を変更することを特徴とする記録ヘッドの回復処理方法。
【請求項１２】  吐出口からインクを吐出可能な記録ヘッドのインク吐出性能を良好に維持するための回復処理を行う記録ヘッドの回復処理方法において、
前記記録ヘッドの吐出口形成面をワイピングするワイピング手段と、前記記録ヘッドの吐出口から画像の記録に寄与しないインクを吐出させる予備吐出手段と、を用い、
前記記録ヘッドが前記インクジェット記録装置に搭載された累積搭載時間を計時し、
前記累積搭載時間に基づいて、前記ワイピング手段によるワイピングの後の前記予備吐出手段によるインクの吐出数を変更することを特徴とする記録ヘッドの回復処理方法。
【請求項１３】  吐出口からインクを吐出可能な記録ヘッドのインク吐出性能を良好に維持するための回復処理を行う記録ヘッドの回復処理方法において、
前記記録ヘッドの吐出口形成面をワイピングするワイピング手段と、前記記録ヘッドの吐出口から画像の記録に寄与しないインクを吐出させる予備吐出手段と、を用い、
前記ワイピング手段によるワイピングの後から被記録媒体への記録を開始するまでの経過時間を計時し、
前記経過時間に基づいて、前記ワイピング手段によるワイピングの後の前記予備吐出手段によるインクの吐出数を変更することを特徴とする記録ヘッドの回復処理方法。
【請求項１４】  吐出口からインクを吐出可能な記録ヘッドのインク吐出性能を良好に維持するための回復処理を行う記録ヘッドの回復処理方法において、
前記記録ヘッドの吐出口形成面をワイピングするワイピング手段と、前記記録ヘッドの吐出口から画像の記録に寄与しないインクを吐出させる予備吐出手段と、を用い、
前記吐出口形成面の撥水性の劣化に対応する情報に基づいて、前記ワイピング手段によるワイピングの後の前記予備吐出手段によるインクの吐出数を変更することを特徴とする記録ヘッドの回復処理方法。
【手続補正３】
【補正対象書類名】明細書
【補正対象項目名】０００１
【補正方法】変更
【補正の内容】
【０００１】
【発明の属する技術分野】
本発明は、吐出口からインクを吐出可能な記録ヘッドを用いて被記録媒体に画像を記録するインクジェット記録装置、および記録ヘッドの回復処理方法に関するものである。
【手続補正４】
【補正対象書類名】明細書
【補正対象項目名】０００９
【補正方法】変更
【補正の内容】
【０００９】
本発明の目的は、記録ヘッドのワイピング後に、記録ヘッドの吐出口から画像の記録に寄与しないインクを吐出するための予備吐出を行う際に、その予備吐出におけるインクの吐出数を少なく抑えつつ、記録ヘッドのフェイス面上の残留インクを除去し、インクの吐出性能の悪化を回避して高品位の画像を記録することができるインクジェット記録装置、および記録ヘッドの回復処理方法を提供することにある。
【手続補正５】
【補正対象書類名】明細書
【補正対象項目名】００１０
【補正方法】変更
【補正の内容】
【００１０】
【課題を解決するための手段】
本発明のインクジェット記録装置は、吐出口からインクを吐出可能な記録ヘッドを用いて画像を記録するインクジェット記録装置において、前記記録ヘッドの吐出口形成面をワイピングするワイピング手段と、前記ワイピング手段によるワイピングの累積回数をカウントするカウント手段と、前記記録ヘッドの吐出口から画像の記録に寄与しないインクを吐出させる予備吐出手段と、前記ワイピングの累積回数に基づいて、前記ワイピング手段によるワイピングの後の前記予備吐出手段によるインクの吐出数を変更する変更手段と、を備え、前記変更手段は、前記ワイピングの累積回数の増加に伴って、前記予備吐出手段によるインクの吐出数を増加させることを特徴とする。
本発明のインクジェット記録装置は、吐出口からインクを吐出可能な記録ヘッドを用いて画像を記録するインクジェット記録装置において、前記記録ヘッドの吐出口形成面をワイピングするワイピング手段と、前記記録ヘッドから吐出された累積インク吐出数に対応する累積記録ドット数をカウントするカウント手段と、前記記録ヘッドの吐出口から画像の記録に寄与しないインクを吐出させる予備吐出手段と、前記累積記録ドット数に基づいて、前記ワイピング手段によるワイピングの後の前記予備吐出手段によるインクの吐出数を変更する変更手段と、を備えることを特徴とする。
本発明のインクジェット記録装置は、吐出口からインクを吐出可能な記録ヘッドを用いて画像を記録するインクジェット記録装置において、前記記録ヘッドの吐出口形成面をワイピングするワイピング手段と、前記記録ヘッドが前記インクジェット記録装置に搭載された累積搭載時間を計時する計時手段と、前記記録ヘッドの吐出口から画像の記録に寄与しないインクを吐出させる予備吐出手段と、前記累積搭載時間に基づいて、前記ワイピング手段によるワイピングの後の前記予備吐出手段によるインクの吐出数を変更する変更手段と、を備えることを特徴とする。
【手続補正６】
【補正対象書類名】明細書
【補正対象項目名】００１１
【補正方法】変更
【補正の内容】
【００１１】
本発明のインクジェット記録装置は、吐出口からインクを吐出可能な記録ヘッドを用いて画像を記録するインクジェット記録装置において、前記記録ヘッドの吐出口形成面をワイピングするワイピング手段と、前記ワイピング手段によるワイピングの後から被記録媒体への記録を開始するまでの経過時間を計時する計時手段と、前記記録ヘッドの吐出口から画像の記録に寄与しないインクを吐出させる予備吐出手段と、前記経過時間に基づいて、前記ワイピング手段によるワイピングの後の前記予備吐出手段によるインクの吐出数を変更する変更手段と、を備えることを特徴とする。
本発明のインクジェット記録装置は、吐出口からインクを吐出可能な記録ヘッドを用いて画像を記録するインクジェット記録装置において、前記記録ヘッドの吐出口形成面をワイピングするワイピング手段と、前記吐出口形成面の撥水性の劣化に対応する情報を記憶する記憶手段と、前記記録ヘッドの吐出口から画像の記録に寄与しないインクを吐出させる予備吐出手段と、前記情報に基づいて、前記ワイピング手段によるワイピングの後の前記予備吐出手段によるインクの吐出数を変更する変更手段と、を備えることを特徴とする。
【手続補正７】
【補正対象書類名】明細書
【補正対象項目名】００１２
【補正方法】変更
【補正の内容】
【００１２】
本発明の記録ヘッドの回復処理方法は、吐出口からインクを吐出可能な記録ヘッドのインク吐出性能を良好に維持するための回復処理を行う記録ヘッドの回復処理方法において、前記記録ヘッドの吐出口形成面をワイピングするワイピング手段と、前記記録ヘッドの吐出口から画像の記録に寄与しないインクを吐出させる予備吐出手段と、を用い、前記ワイピング手段によるワイピングの累積回数をカウントし、前記ワイピングの累積回数に基づいて、前記ワイピング手段によるワイピングの後の前記予備吐出手段によるインクの吐出数を変更し、前記ワイピングの累積回数の増加に伴って、前記予備吐出手段によるインクの吐出数を増加させることを特徴とする。
本発明の記録ヘッドの回復処理方法は、吐出口からインクを吐出可能な記録ヘッドのインク吐出性能を良好に維持するための回復処理を行う記録ヘッドの回復処理方法において、前記記録ヘッドの吐出口形成面をワイピングするワイピング手段と、前記記録ヘッドの吐出口から画像の記録に寄与しないインクを吐出させる予備吐出手段と、を用い、前記記録ヘッドから吐出された累積インク吐出数に対応する累積記録ドット数をカウントし、前記累積記録ドット数に基づいて、前記ワイピング手段によるワイピングの後の前記予備吐出手段によるインクの吐出数を変更することを特徴とする。
本発明の記録ヘッドの回復処理方法は、吐出口からインクを吐出可能な記録ヘッドのインク吐出性能を良好に維持するための回復処理を行う記録ヘッドの回復処理方法において、前記記録ヘッドの吐出口形成面をワイピングするワイピング手段と、前記記録ヘッドの吐出口から画像の記録に寄与しないインクを吐出させる予備吐出手段と、を用い、前記記録ヘッドが前記インクジェット記録装置に搭載された累積搭載時間を計時し、前記累積搭載時間に基づいて、前記ワイピング手段によるワイピングの後の前記予備吐出手段によるインクの吐出数を変更することを特徴とする。
本発明の記録ヘッドの回復処理方法は、吐出口からインクを吐出可能な記録ヘッドのインク吐出性能を良好に維持するための回復処理を行う記録ヘッドの回復処理方法において、前記記録ヘッドの吐出口形成面をワイピングするワイピング手段と、前記記録ヘッドの吐出口から画像の記録に寄与しないインクを吐出させる予備吐出手段と、を用い、前記ワイピング手段によるワイピングの後から被記録媒体への記録を開始するまでの経過時間を計時し、前記経過時間に基づいて、前記ワイピング手段によるワイピングの後の前記予備吐出手段によるインクの吐出数を変更することを特徴とする。
本発明の記録ヘッドの回復処理方法は、吐出口からインクを吐出可能な記録ヘッドのインク吐出性能を良好に維持するための回復処理を行う記録ヘッドの回復処理方法において、前記記録ヘッドの吐出口形成面をワイピングするワイピング手段と、前記記録ヘッドの吐出口から画像の記録に寄与しないインクを吐出させる予備吐出手段と、を用い、前記吐出口形成面の撥水性の劣化に対応する情報に基づいて、前記ワイピング手段によるワイピングの後の前記予備吐出手段によるインクの吐出数を変更することを特徴とする。